(57)【要約】【目的】本発明は、机の天板後部に設けられた本立て等に取付けられるブックエンドに関するものであり、書を本立ての移動籍の出し入れによってもブックエンドが不測に移動せず、又、本立ての移動によっても、書籍等が転倒せず、又、書籍の量に対応して、移動させることにより、書籍等の整理が整然とおこなわれるブックエンドを提供する事を目的とする。【構成】ブックエンド載置用棚板に載置され、ブックエンド載置用棚板の後方に形成されたスライド案内溝に、後端下面に設けられた嵌入突部が嵌入して、左右にスライド自在としたものである。【選択図】　　図１
2004049429.tif 000002
【特許請求の範囲】
【請求項１】
ブックエンド載置用棚板に載置され、ブックエンド載置用棚板の後方に形成されたスライド案内溝に、後端下面に設けられた嵌入突部が嵌入して、左右にスライド自在とした事を特徴とするブックエンド
【請求項２】
左右側板の後端間に、上下に所定間隔を有して配設された少なくとも２枚の後板を有し、上記後板間を案内部として左右に移動自在に取付けられた本立と、本立てと左右側板間のいずれか一方側に配設される着脱自在な棚板よりなる書棚において、本立て用左右側板間に配設されたブックエンド載置用棚板上に、左右にスライド自在に設けられた事を特徴とするブックエンド
【請求項３】
左右側板の後端間に、上下に所定間隔を有して配設された少なくとも２枚の後板を有し、上記後板間を案内部として左右に移動自在に取付けられた本立と、本立てと左右側板間のいずれか一方側に配設される着脱自在な棚板よりなる書棚において、ブックエンド載置用棚板の後端面と書棚の後板間にスライド案内溝が形成され、ブックエンド載置用棚板上に載置されると共に、後端下面に設けられた嵌入突部がスライド案内溝に嵌入して、左右にスライド自在とした事を特徴とするブックエンド。
【請求項４】
ブックエンドは上部から前面に渡って開口する箱型に形成されている事を特徴とする請求項１、又は、請求項２、又は、請求項３に記載のブックエンド。
【発明の詳細な説明】
【０００１】
【発明の属する技術分野】本発明は机の天板後部に設けられた本立て等に取付けられるブックエンドに関するものである。
【０００２】
【従来の技術】従来、この種のブックエンドは、書籍等の量に応じて、所定間隔を有して本立て等の棚板上に対向して載置されるのが一般的であった。
このため、書籍の出し入れによってブックエンドが移動（特に前後方向）し、
書籍等の整理を整然と行う事困難であった。
一方、パソコンの普及に伴い、パソコンの机上の設置場所に応じて、左右にスライド可能とした本立て有する書棚が提供されているが、このような本立てに上記ブックエンドを使用すると、本立てを左右にスライドさせたとき、ブックエンド、あるいは、ブックエンド間に収納された書籍が移動、転倒することがあり、使用勝手が非常に悪かった。
【０００３】
【本発明が解決しようとする課題】
本発明は、上記問題点を解決する事を課題とし、書籍の出し入れによってもブックエンドが不測に移動せず、又、本立ての移動によっても、書籍等が転倒せず、
又、書籍の量に対応して、移動させることにより、書籍等の整理が整然とおこなわれるブックエンドを提供する事を課題とする。
【０００４】
【課題を解決するための手段】
そこで、上記課題を解決する為、本発明の第１の手段として構成したところは、
ブックエンド載置用棚板に載置され、ブックエンド載置用棚板の後方に形成されたスライド案内溝に、後端下面に設けられた嵌入突部が嵌入して、左右にスライド自在としたものである。
【０００５】
次に本発明が第２の手段として構成したところは、左右側板の後端間に、上下に所定間隔を有して配設された少なくとも２枚の後板を有し、上記後板間を案内部として左右に移動自在に取付けられた本立と、本立てと左右側板間のいずれか一方側に配設される着脱自在な棚板よりなる書棚において、本立て用左右側板間に配設されたブックエンド載置用棚板上に、左右にスライド自在に設けられたものである。
【０００６】
次に本発明が第２の手段として構成したところは、左右側板の後端間に、上下に所定間隔を有して配設された少なくとも２枚の後板を有し、上記後板間を案内部として左右に移動自在に取付けられた本立と、本立てと左右側板間のいずれか一方側に配設される着脱自在な棚板よりなる書棚において、ブックエンド載置用棚板の後端面と書棚の後板間にスライド案内溝が形成され、ブックエンド載置用棚板上に載置されると共に、後端下面に設けられた嵌入突部がスライド案内溝に嵌入して、左右にスライド自在としたものである。
【０００７】
次に本発明が第４の手段として構成したところは　上記ブックエンドは上部から前面に渡って開口する箱型に形成されているものである
【０００８】
【実施例】
図１において、符号１は　書棚を示し、符号２は書棚１に具備された本立てを示し、符号３は、本立て２に設けられたブックエンドを示している。
書棚１は、左右に所定間隔を有して立設された左右側板１１、１１と、左右側板１１，１１の後端間に、上下に所定間隔を有して配設されて案内部１３０が形成された少なくとも２枚の上下後板１３、１３と、左右側板１１，１１の後部下端部間と、下後板１３の下部前面間に配設された補強用継ぎ板１４と、本立て２と、本立て２のいずれか一方の端部と、左右側板１１、１１の内面間に着脱自在に配設された棚板４より構成されている。
符号５は照明器具を示し、照明器具５は、支柱５１と灯具５２より構成され、支柱５１は、下端部が補強用継ぎ板１４の嵌合孔（図示せず。）に嵌合し、上部が上後板１３の前面に飾りネジ等で連結されている。
【０００９】
本立て２は、左右に所定間隔を有して立設された本立て用左右側板２１、２１と、本立て用左右側板２１、２１の上下方向略中間部間に配設された本立て用棚板２２と、ブックエンド載置用棚板２２の下面に配設された左右２つの引出し２３，２３と、ブックエンド載置用棚板２２の上面に設けられたブックエンド３より構成されている。
そして、本立て２の左右幅は本棚１の左右幅の２分の１強の大きさ（図１に示すように、右端に本立て２をよせた状態で、書棚１の左右方向中央部に立設する照明器具５の支柱５１が左側板１１の内面側に位置する大きさ）に形成されており、ブックエンド載置用棚板２２の後端面と書棚１の後板１３間にスライド案内溝２０が形成され、スライド案内溝２０を照明器具５の支柱５１が貫挿している。
【００１０】
本立て用左右側板２１、２１の後端部は、上下後板１３、１３間に突出し、この突出した部分間に補強用後板２４が設けられ、補強用後板２４の左右端部下面に、下後板１３の上面に係合する下向きＬ字形の下部保持片２４１，２４１が取付けられ、補強用後板２４の上端部には上後板１３の下端部後面に係止する上部支持片２４２が取付けられ、下部支持片２４１，２４１の内面には、下後板１３上端面との接触状態を緩和する緩衝材３００が貼付けられている。
そして、本立て用左右側板２１、２１の下端面に、補強用継ぎ板１４の前端上角部に接触するスライド用滑子２１１，２１１が取付けられ、本立て２の重量の一部を支持している。
すなわち、本立て２は、下部保持片２４１，２４１、上部支持片２４２、スライド用滑子２１１，２１１と、上下後板１３，１３、補強用継ぎ板１４にて、書棚１に対し、左右にスライド自在に保持されている。
【００１１】
ブックエンド３は、左右に所定間隔を有する左右仕切板３１，３１と左右仕切板３１，３１間に配設された背板３２と、底板３３より、上面と前面が開口する箱形に形成され、底板３３の後端部下面に前記スライド案内溝２０に嵌入する嵌入突部３０が形成されている。
そして、底板３３、背板３２の周部には、棚板２３、後板１３、補強用後板２４と本立て３との接触状態を緩和する緩衝材３００が貼付けられている。
【００１２】
尚、実施例では　ブックエンド３は左右にスライド自在な本立てにもうけられているが、棚板４の奥行きを小さ目に形成し、棚板４の後方にスライド案内溝２０を形成するようにすれば、棚板４をブックエンド載置用棚板として、ブックエンド３載置して使用する事も可能である。
又、本立て２の右本立て用側板２１と書棚１の右側板１１を兼用して、本立て２を固定式のものとするなど、適宜変更可能である。
【発明の効果】
本発明は、上記の如く構成されているので、請求項１に記載の発明によれば、書籍等の量に対応してブックエンドを移動させて、本立て用左右側板間とで、書籍等を挟持しておけば、書籍の出し入れによって、ブックエンドが前後に移動することがなく、書籍等の整理を整然と行う事ができる。
【００１３】
又、請求項２の発明によれば、上記効果に加え、書籍等の量に対応してブックエンドを移動させて、本立て用左右側板間とで、書籍等を挟持しておけば、本立ての移動によっても、書籍等が転倒せず、書籍等の整理が整然と行う事ができる。さらに、請求項３に記載の発明によれば、請求項１の効果と請求項２の効果を
併せ持つ事が出来る。
さらに、請求項４に記載の発明によれば、ブックエンドは箱形に形成され、後端下面にスライド案内溝に嵌入する嵌入突部が設けられているので、書籍等がブックエンドに寄りかかるように傾斜して収納されても、ブックエンドは不用意に左右にスライドしたり、前方に移動したりすることがなく確実に書籍等に整頓が可能である。
【図面の簡単な説明】
【図１】本発明を具備した書棚の斜視図
【図２】本発明を具備した書棚の正面図
【図３】本立てを中央部に移動した状態の書棚の正面図
【図４】書棚の要部拡大縦断面図
【図５】ブックエンドの要部拡大縦断面図
【符号の説明】
１　　　　　書棚
１１　　　　側板
１３　　　　後板
１３０　　　案内部
２　　　　　本立て
２０　　　　スライド案内溝
２１　　　　本立て用側板
２２　　　　ブックエンド載置用棚板
３　　　　　ブックエンド
３０　　　　嵌入突部
４　　　　　棚板
５　　　　　照明器具
５１　　　　支柱
【図１】
2004049429.tif 000003
【図２】
2004049429.tif 000004
【図３】
2004049429.tif 000005
【図４】
2004049429.tif 000006
【図５】
2004049429.tif 000007